(57)【特許請求の範囲】
【請求項１】
濾材によって所定方向に伸縮可能な袋状に形成された袋体（１１、２１）と、
前記袋体の外側に設けられ、前記袋体を伸長させるばね部材（４７、５７）と
を備え、
前記袋体は、前記所定方向の両端外側に設けられた一対の台座部材（４３、４６、５３、５６、６３、６６）を備え、前記ばね部材（４７、５７）は一対の前記台座部材（４３、４６、５３、５６、６３、６６）に連結されていることを特徴とするサクションフィルタ。
【請求項２】
前記ばね部材による伸長を許容する解放状態、および、前記ばね部材による伸長を規制する規制状態に切換可能な伸長規制部材（６３ａ、６６ａ）と
を備えることを特徴とする請求項１に記載のサクションフィルタ。
【請求項３】
前記伸長規制部材（６３ａ、６６ａ）は、
前記袋体の伸縮方向の両端であって前記袋体の内側に設けられ、前記袋体の外側から係脱操作が可能な一対の係合部材を備え、前記係合部材が係合状態にあるとき前記ばね部材による伸長が規制され、前記係合部材が非係合状態にあるとき前記ばね部材による伸長を許容することを特徴とする請求項２に記載のサクションフィルタ。
【発明の詳細な説明】
【技術分野】
【０００１】
本発明は、液体の吸入口に装着される袋状のサクションフィルタに関するものである。
【背景技術】
【０００２】
従来、特許文献１および特許文献２に記載のサクションフィルタが知られている。この種のサクションフィルタは、タンク内の液位が低下しても液体の吸い上げを可能とするために、サクションフィルタをタンクの底面に接触させることが求められる。そのため、サクションフィルタ自体を、上下方向に変形可能に構成している。
【０００３】
例えば、特許文献１に記載のサクションフィルタでは、サクションフィルタを上下方向に伸縮可能な袋状に構成するとともに、サクションフィルタ内にコイルばね状の樹脂部材を配置して伸長方向へ押し広げることにより、伸長状態を保持させている。このサクションフィルタはタンクの底面に押し付けられることで、取り付け位置の誤差、タンク底面の変形、振動による変形があっても、タンク底面との接触状態を保持することができる。
【０００４】
また、特許文献２に記載のサクションフィルタでは、サクションフィルタ内にコイルばね状の部材を配置するとともに、さらに、サクションフィルタ内に濾材どうしの密着を防止する樹脂部材である密着防止部材（張付き防止片（８））を設けている。
【先行技術文献】
【特許文献】
【０００５】
【特許文献１】特公平７−７３６４３号公報
【特許文献２】特開２００３−１７２２２０号公報
【発明の概要】
【発明が解決しようとする課題】
【０００６】
特許文献２に記載の技術では、濾材の密着を抑制するための密着防止部材（張付き防止片（８））をサクションフィルタ内に配置している。しかし、サクションフィルタ内の密着防止部材（張付き防止片（８））が変形可能な部位を備えている。このため、サクションフィルタ内に配置された密着防止部材（張付き防止片（８））が、変形可能な部位から破損するおそれがあった。サクションフィルタ内に配置された密着防止部材（張付き防止片（８））が破損すると、その破片などがサクションフィルタ内から吸入口に直接に吸入されるおそれがある。破片は異物としてポンプなどの機器に吸入され、機器の機能を損なうおそれがある。
【０００７】
一方、特許文献１に記載の技術のように、サクションフィルタ内にばね部材を配置するだけの構成では、濾材の密着を抑制することができず、吸引可能な濾過面積を維持できないという問題点があった。
【０００８】
このように、サクションフィルタ内に密着防止部材（張付き防止片（８））を配置した従来のサクションフィルタでは、濾材の密着抑制と、サクションフィルタ内における異物の発生抑制との両立を図ることが困難であるという問題点があった。
【０００９】
本発明は、上記問題点に鑑み、改良されたサクションフィルタを提供することを目的とする。
【００１０】
本発明は、上記問題点に鑑み、サクションフィルタ内での異物発生を抑制できるサクションフィルタを提供することを他の目的とする。
【００１１】
また、本発明は、サクションフィルタ内に配置される部品が生産工程における生産性を低下させる要因となっていたという問題点に鑑み、伸長可能であって、しかも生産性に優れたサクションフィルタを提供することをさらに他の目的とする。
【００１２】
また、本発明は、サクションフィルタは、ばね部材によって伸長方向へ付勢されるため、伸長状態のままでは寸法が大きく、保管、運送における効率が低いという問題点に鑑み、伸長可能であって、しかも短縮状態で保持可能なサクションフィルタを提供することをさらに他の目的とする。
【課題を解決するための手段】
【００１３】
上記目的を達成するために、下記の技術的手段を採用することができる。
【００１４】
【００１５】
【００１６】
【００１７】
【００１８】
【００１９】
【００２０】
【００２１】
【００２２】
【００２３】
請求項１に記載の発明は、濾材によって所定方向に伸縮可能な袋状に形成された袋体（１１、２１）と、袋体の外側に設けられ、袋体を伸長させるばね部材（４７、５７）とを備え、袋体は、所定方向の両端外側に設けられた一対の台座部材（４３、４６、５３、５６、６３、６６）を備え、ばね部材（４７、５７）は一対の台座部材（４３、４６、５３、５６、６３、６６）に連結されているという技術的手段を採用する。この発明によると、ばね部材が袋体の外側に設けられる。このため、生産性の向上、および／または袋体内における異物発生の抑制が可能となる。例えば、ばね部材を袋体の内側に配置しながら袋体を形成するという煩わしい作業を回避することができ、さらにばね部材が装着されていることを容易に目視して確認することができる。別の観点では、例えば、ばね部材に起因して袋体の内側に異物が生じる事態を回避することができる。この発明によると、ばね部材と袋体とが台座部分を介して連結される。
【００２５】
請求項２に記載の発明は、ばね部材による伸長を許容する解放状態、および、ばね部材による伸長を規制する規制状態に切換可能な伸長規制部材（６３ａ、６６ａ）とを備えるという技術的手段を採用する。この発明によると、ばね部材による袋体の伸長を規制することができるので、袋体の寸法を抑えることができる。例えば、サクションフィルタの使用状態では解放状態とし、サクションフィルタの保管時、運送時には規制状態とすることができる。
【００２６】
請求項３に記載の発明は、伸長規制部材（６３ａ、６６ａ）は、袋体の伸縮方向の両端であって袋体の内側に設けられ、袋体の外側から係脱操作が可能な一対の係合部材を備え、係合部材が係合状態にあるときばね部材による伸長が規制され、係合部材が非係合状態にあるときばね部材による伸長を許容するという技術的手段を採用する。この発明によると、袋体の外側に表れない係合部材によって袋体の寸法を抑えることができる。
【００２７】
なお、特許請求の範囲および上記各手段に記載の括弧内の符号は、ひとつの態様として後述する実施形態に記載の具体的手段との対応関係を示す。
【図面の簡単な説明】
【００２８】
【図１】本発明の第１実施形態（参考例）のサクションフィルタを示す断面図である。
【図２】第１実施形態（参考例）のサクションフィルタを示す断面図である。
【図３】第１実施形態（参考例）のサクションフィルタを示す斜視図である。
【図４】本発明の第２実施形態（参考例）のサクションフィルタを示す斜視図である。
【図５】本発明の第３実施形態（参考例）のサクションフィルタを示す斜視図である。
【図６】本発明の第４実施形態のサクションフィルタを示す分解斜視図である。
【図７】第４実施形態のばね部材を示す平面図である。
【図８】本発明の第５実施形態のサクションフィルタを示す分解斜視図である。
【図９】本発明の第６実施形態のサクションフィルタを示す断面図である。
【図１０】第６実施形態のサクションフィルタを示す断面図である。
【図１１】第６実施形態のサクションフィルタを示す断面図である。
【発明を実施するための形態】
【００２９】
（第１実施形態（参考例））
以下、本発明を車両用燃料供給装置のサクションフィルタに適用した第１実施形態（参考例）を説明する。図１は、本発明の第１実施形態（参考例）のサクションフィルタ１０を示す断面図であって、サクションフィルタ１０がその伸縮方向に伸長し、かつ燃料タンク内に収容された状態を示している。図２は、サクションフィルタ１０を示す断面図であって、サクションフィルタ１０をその伸縮方向に縮小させた状態を示す。図３は、サクションフィルタ１０を示す斜視図である。なお、図２は、図３のＩＩ−ＩＩ断面を示している。
【００３０】
図１において、サクションフィルタ１０は、袋体１１と、この袋体１１上に設けられた樹脂部品１２とを有する。袋体１１は、樹脂製の糸を織って形成されたメッシュ状の濾材１１ａを袋状に形成したものである。袋体１１は、濾材１１ａの上面１１ｃと下面１１ｄとを二層に積層し、その外周縁を封止することにより形成されている。袋体１１の外周縁には、上面１１ｃと下面１１ｄとを溶着した溶着部１１ｂが形成されている。袋体１１は、ほぼ四角形の上面１１ｃと下面１１ｄとを積層して構成されており、その積層方向に沿って伸縮可能に構成されている。袋体１１は、濾材１１ａによって所定の方向へ伸縮可能な形状である。
【００３１】
樹脂部品１２は、上面１１ｃに固定された固定部１３と、下面１１ｄに固定された固定部１６とを有する。上面１１ｃのほぼ中央を貫通する開口部に固定部１３がインサート成形されている。下面１１ｄのほぼ中央を貫通する開口部に固定部１６がインサート成形されている。固定部１３と固定部１６とは、袋体１１の伸縮方向上の対向する位置に設けられている。固定部１３は、流体通路としての出口管１４と、濾材１１ａを所定の展開状態に保持する形状保持部材１５を有している。固定部１３は、濾材１１ａに開設された開口部の周囲にインサート成形されている。固定部１３から延び出す出口管１４の一端には出口１４ａが開口し、他端は袋体１１内に開口している。固定部１６は、下面１１ｄに開設された開口部を塞ぐように成形されている。
【００３２】
金属製のコイルばね１７が、固定部１３と固定部１６との間に圧縮状態で配置されている。コイルばね１７は、袋体１１の積層方向を伸縮方向としてその袋体１１を伸長方向へ押し広げるばね部材である。固定部１３と固定部１６とは、コイルばね１７の両端が接触し、コイルばね１７の付勢力を受ける台座部材でもある。
【００３３】
サクションフィルタ１０は、固定部１６または下面１１ｄを車載の燃料タンク１の底面に接触させるように配置されることができる。袋体１１が上下方向へ伸縮可能に構成されているため、サクションフィルタ１０の取り付け位置の誤差、燃料タンクの変形、あるいは振動があってもサクションフィルタ１０と燃料タンク底面との接触状態が持続される。サクションフィルタ１０は、燃料消費機器である内燃機関２に燃料を供給するポンプ３の吸入口に接続されている。
【００３４】
袋体１１の上面１１ｃには形状保持部材１５が設けられている。形状保持部材１５は、袋体１１の外側に位置して上面１１ｃ上に固定されている。形状保持部材１５は、固定部１３とともに一体成形されている。形状保持部材１５は、固定部１３と同じ樹脂材料製であって、袋体１１の変形に追従して弾性変形可能な断面積、形状をもっている。
【００３５】
形状保持部材１５は、袋体１１の外側に沿って所定の長さにわたって延び、濾材１１ａと接合された部材である。形状保持部材１５は、細長い板状の変形可能な腕状部分１５ａを有する。腕状部分１５ａの一端は固定部１３に連結されている。腕状部分１５ａの他端は、接合部分１５ｂによって上面１１ｃに接合されている。
【００３６】
接合部分１５ｂは、リベット状であって腕状部分１５ａと一体成形されている。接合部分１５ｂは、上面１１ｃに開設された小穴を貫通して設けられている。接合部分１５ｂの一端は腕状部分１５ａに連結されており、他端は袋体１１の内部に突出して位置している。接合部分１５ｂは弾力変形することを期待して形成された部分ではなく、形状保持部材１５と上面１１ｃとを連結するにとどまる。接合部分１５ｂは、上面１１ｃのうち固定部１３から離れており、しかも外周縁部である溶着部１１ｂからも離れている部位に設けられる。接合部分１５ｂは、どちらかというと外周縁部寄りの位置に設けられている。これにより上面１１ｃのうちでも変形しやすい広い範囲の形状が形状保持部材１５によって保持される。
【００３７】
袋体１１の下面１１ｄにも形状保持部材１８が設けられている。形状保持部材１８は、袋体１１の外側に位置して下面１１ｄ上に固定されている。形状保持部材１８は、固定部１６とともに一体成形されている。形状保持部材１８は、固定部１６と同じ樹脂材料製であって、袋体１１の変形に追従して弾性変形可能な断面積、形状をもっている。
【００３８】
形状保持部材１８は、袋体１１の外側に沿って所定の長さにわたって延び、濾材１１ａと接合された部材である。形状保持部材１８は、細長い板状の変形可能な腕状部分１８ａを有する。腕状部分１８ａの一端は固定部１６に連結されている。腕状部分１８ａの他端は、接合部分１８ｂによって下面１１ｄに接合されている。
【００３９】
接合部分１８ｂは、リベット状であって腕状部分１８ａと一体成形されている。接合部分１８ｂは、下面１１ｄに開設された小穴を貫通して設けられている。接合部分１８ｂの一端は腕状部分１８ａに連結されており、他端は袋体１１の内部に突出して位置している。接合部分１８ｂは弾力変形することを期待して形成された部分ではなく、形状保持部材１８と下面１１ｄとを連結するにとどまる。接合部分１８ｂは、下面１１ｄのうち固定部１６から離れており、しかも外周縁部である溶着部１１ｂからも離れている部位に設けられる。接合部分１８ｂは、どちらかというと外周縁部寄りの位置に設けられている。これにより下面１１ｄのうちでも変形しやすい広い範囲の形状が形状保持部材１８によって保持される。
【００４０】
図２において、コイルばね１７を軸方向に押し縮めた状態が図示されている。この状態は、形状保持部材１５、１８が、弾性変形していない初期状態を示している。初期状態においては形状保持部材１５、１８は、図示のように平面状の上面１１ｃおよび下面１１ｄに沿って延びている。形状保持部材１５、１８は、上面１１ｃ、下面１１ｄが湾曲するにつれて、弾性変形する。形状保持部材１５、１８は、上面１１ｃ、下面１１ｄを初期状態の平面状に戻すように復元力を発揮する。形状保持部材１５、１８に比べて固定部１３、１６は格段に高い剛性を与えられており、上面１１ｃ、下面１１ｄが通常の範囲で変形しても固定部１３、１６は変形することはない。よって、形状保持部材１５、１８は、固定部１３、１６との連結部の近傍において大きく曲がる。
【００４１】
図１および図２に図示されるように、形状保持部材１５と形状保持部材１８とは、上下対称に設けられている。吸引圧力によって上面１１ｃと下面１１ｄとが接近する方向に力が作用しても、接合部分１５ｂと接合部分１８ｂとは接触しない程度の復元力を与えている。
【００４２】
図３に図示されるように、袋体１１はその４辺に溶着部１１ｂを有している。上面１１ｃ上には、複数の形状保持部材１５が設けられている。複数の形状保持部材１５は、上面１１ｃ上にほぼ均等に分散して配置されている。複数の形状保持部材１５は、固定部１３から径方向に延び出して設けられている。複数の形状保持部材１５は、固定部１３に対して放射状に設けられている。複数の形状保持部材１５は、ほぼ四辺形の袋体１１上の対角線に沿って設けられている。同様に、下面１１ｄの外側にも、複数の形状保持部材１８が袋体１１上の対角線に沿って設けられている。
【００４３】
図１に図示されるように、コイルばね１７が自由長に伸びようとすることによって上面１１ｃと下面１１ｄとが湾曲する。この結果、袋体１１は、伸縮方向へ伸長される。袋体１１は、縮小状態の高さＬＳから伸長状態の高さＬＥの範囲において伸縮することができる。上面１１ｃと下面１１ｄとの湾曲に伴って、形状保持部材１５、１８が弾性変形する。ばね部材による袋体の伸長量が大きくなるにつれて形状保持部材１５、１８の弾性変形量が大きく、形状保持部材１５、１８は、初期状態に戻ろうとする弾性復元力を生じる。このとき、形状保持部材１５は接合部分１５ｂによって上面１１ｃと連結されているから、形状保持部材１５は上面１１ｃを広げるように引き上げる。同様に、形状保持部材１８は接合部分１８ｂによって下面１１ｄと連結されているから、形状保持部材１８は下面１１ｄを広げるように引き下げる。このように、形状保持部材１５、１８は、袋体１１の伸長に伴う袋体１１の変形に抗して袋体１１を膨らんだ形状に保持するように濾材１１ａを付勢し、伸張させる。この結果、袋体１１は膨らむ方向へ拡げられる。
【００４４】
この実施形態によると、形状保持部材１５、１８が、濾材１１ａの上面１１ｃと下面１１ｄとに配置されているから、袋体１１の形状を膨らんだ状態に保持することができる。さらに、形状保持部材１５、１８のような変形可能な樹脂部材を袋体１１の外側すなわち非清浄空間側に配置したから、袋体１１内すなわち清浄空間側に配置される変形可能な部材を削減することができる。このため、もし変形可能な部材が折損するなどして破片を生じることがあっても、袋体１１内における異物の発生を抑制することができる。また、上記実施形態では、袋体１１内には変形可能な樹脂部材を全く配置していないから、異物の発生を顕著に抑えることができる。なお、コイルばね１７が袋体１１内に依然として設けられているが、金属製のコイルばね１７は破損の可能性が格段に低い。
【００４５】
（第２実施形態（参考例））
次に、本発明の第２実施形態（参考例）を説明する。図４は、第２実施形態（参考例）のサクションフィルタ２０を示す斜視図である。先行する説明を参照することができる構成要素には、先行実施形態と同一の符号を付した。袋体２１は、１枚の濾材２１ａを半分に折り曲げることにより袋状に形成されている。濾材２１ａは、長方形であって、折曲部２１ｅにおいて折り曲げられている。よって、袋体２１の残る三辺に溶着部２１ｂが設けられている。この実施形態においても、先行する実施形態と同様に形状保持部材１５、１８が設けられている。なお、この袋体２１は、後続の実施形態の袋体として用いることもできる。
【００４６】
（第３実施形態（参考例））
次に、本発明の第３実施形態（参考例）を説明する。図５は、第３実施形態（参考例）のサクションフィルタ３０を示す斜視図である。先行する説明を参照することができる構成要素には、先行実施形態と同一の符号を付した。袋体２１は、先行する第２実施形態（参考例）と同じである。先行する実施形態では、形状保持部材１５、１８を袋体１１、２１の対角線に沿って配置したが、これに代えて、この実施形態では、形状保持部材１５、１８を袋体２１の各辺と平行に配置している。なお、この実施形態で示された形状保持部材１５、１８の配置は、先行する実施形態にも、後続の実施形態にも適用することができる。
【００４７】
（第４実施形態）
次に、本発明の第４実施形態を説明する。図６は、第４実施形態のサクションフィルタ４０を示す分解斜視図である。図７は、ばね部材を示す平面図である。先行する説明を参照することができる構成要素には、先行実施形態と同一の符号を付した。
【００４８】
図６において、この実施形態では、先行する実施形態のコイルばね１７に代えて、袋体の外側に配置されるばね部材を採用した。サクションフィルタ４０の上面１１ｃには固定部４３が設けられている。下面１１ｄには固定部４６が設けられている。固定部４３と固定部４６とは、袋体１１の両端外側に設けられた一対の台座部材を提供する。袋体１１の外側には、袋体１１をその伸縮方向へ伸長させるばね部材としての板ばね４７が設けられる。板ばね４７は、平板状の初期状態から、弾性領域内でＵ字状に曲げられて、固定部４３、４６に連結される。板ばね４７の一方の端部４７ａは、固定部４３の連結部４３ａに挿入されて連結される。板ばね４７の他方の端部４７ｂは、固定部４６の連結部４６ａに挿入されて連結される。板ばね４７の端部４７ａ、４７ｂには、脱落を防止するロック機構４７ｃが設けられる。袋体１１内には、袋体１１の変形にともなって弾性変形する部材は配置されていない。さらに、この実施形態においても、形状保持部材１５が設けられている。板ばね４７が平板状に戻ろうとするため、袋体１１は、固定部４３、４６を介して積層方向に伸長され、拡げられる。
【００４９】
図７において、板ばね４７の生産工程が図示されている。板ばね４７は、細長い板材４９を切断して生産される。板ばね４７の形状は、廃棄される材料を抑制することを可能としつつ、固定部４３との安定的な連結を可能とする。
【００５０】
この実施形態によると、ばね部材が袋体の外側に設けられる。このため、生産性の向上、および／または袋体内における異物発生の抑制が可能となる。例えば、ばね部材を袋体の内側に配置しながら袋体を形成するという煩わしい作業を回避することができ、さらにばね部材が装着されていることを容易に目視して確認することができる。別の観点では、例えば、ばね部材に起因して袋体の内側に異物が生じる事態を回避することができる。特に、この実施形態では、ばね部材を含む弾性変形可能な部材が袋体１１内には全く設けられていない。この結果、袋体１１内における異物の発生を著しく抑制しながら、袋体１１を膨らんだ形状に保持することができる。
【００５１】
（第５実施形態）
次に、本発明の第５実施形態を説明する。図８は、第５実施形態のサクションフィルタ５０を示す分解斜視図である。先行する説明を参照することができる構成要素には、先行実施形態と同一の符号を付した。
【００５２】
図８において、この実施形態では、先行する実施形態の板ばね４７に代えて、ワイヤばね５７を採用した。サクションフィルタ５０は、上面１１ｃに固定部５３を有し、下面１１ｄに固定部５６を有する。固定部５３には、２つの連結部５３ａ、５３ｂが設けられている。固定部５６には、２つの連結部５６ａ、５６ｂが設けられている。ワイヤばね５７は、互いに交差するように対角上に配置される２つのワイヤばね５７ａ、５７ｂを有する。ワイヤばね５７ａの一端は連結部５６ａに挿入され、他端は連結部５３ｂに挿入される。ワイヤばね５７ｂの一端は連結部５６ｂに挿入され、他端は連結部５３ａに挿入される。袋体１１内には、袋体１１の変形にともなって弾性変形する部材は配置されていない。さらに、この実施形態においても、形状保持部材１５が設けられている。２つのワイヤばね５７ａ、５７ｂが棒状に戻ろうとするため、袋体１１は、固定部５３、５６を介して積層方向に伸長され、拡げられる。このとき、２つのワイヤばね５７ａ、５７ｂが対称に配置された２つのばね部材を提供するため、袋体１１をまっすぐに伸長させる。
【００５３】
この実施形態によると、ばね部材を含む弾性変形可能な部材が袋体１１内には全く設けられていない。この結果、袋体１１内における異物の発生を著しく抑制しながら、袋体１１を膨らんだ形状に保持することができる。
【００５４】
（第６実施形態）
次に、本発明の第６実施形態を説明する。図９ないし図１１は、第６実施形態のサクションフィルタ６０を示す断面図である。先行する説明を参照することができる構成要素には、先行実施形態と同一の符号を付した。
【００５５】
図９および図１０において、サクションフィルタ６０の袋体１１は、第４実施形態の板ばね４７を装着可能な固定部６３、６６を有している。このため、袋体１１の中には、形状保持部材もばね部材も配置されていない。固定部６３には係合部６３ａが設けられている。係合部６３ａは固定部６３とともに樹脂材料によって一体成形されている。固定部６６には係合部６６ａが設けられている。係合部６６ａは固定部６６とともに樹脂材料によって一体成形されている。係合部６３ａと係合部６６ａとは、袋体１１の伸縮方向とは直交する方向に沿って、互いに逆方向に向けて開口したＬ字型断面をもつ。これら係合部６３ａ、６６ａは、それらを互いに接近させることによって互いに係合させることが可能な一対の係合部材を提供している。これら係合部６３ａ、６６ａは、ばね部材による伸長を許容する解放状態、および、ばね部材による伸長を規制する規制状態に切換可能な伸長規制部材でもある。
【００５６】
図９において、係合部６３ａ、６６ａが非係合状態にある状態が図示されている。このとき、袋体１１は、ばね部材によって伸長し、形状保持部材１５、１８によって膨らんだ状態に保持される。
【００５７】
図１０において、係合部６３ａ、６６ａが係合状態にある状態が図示されている。このとき、ばね部材に抗して２つの固定部６３、６６の間が比較的接近した状態に保持される。
【００５８】
図１１において、係合部６３ａと係合部６６ａとを非係合状態から係合状態へ、あるいは係合状態から非係合状態へ操作する際の状態が図示されている。図示のように、固定部６３と固定部６６とを、袋体１１の伸縮方向と直交する方向に沿って互いに逆方向へ平行移動させることで、係合部６３ａ、６６ａが操作される。
【００５９】
この実施形態によると、係合部６３ａ、６６ａを係合状態とすることで袋体１１の寸法および容積を小さくすることができる。例えば、サクションフィルタの使用状態では非係合状態（解放状態）とし、サクションフィルタの保管時、運送時には係合状態（規制状態）とすることができる。このため、サクションフィルタ６０の運送、保管が容易になる。また、係合部６３ａ、６６ａを袋体１１の中に設けていながら、袋体１１の外側から係脱操作が可能な構造としたため、作業性を損なうことなく袋体１１内の空間を有効に利用することができる。
【００６０】
（他の実施形態）
本発明の技術的範囲は、上述した実施形態にのみ限定されるものではない。上述した実施形態は、本発明の技術的範囲内で、多様な変形、改良、または拡張を伴うことができる。本発明は、少なくとも次のような変形、改良または拡張を伴う実施形態を包含する。例えば、上述の実施形態では、袋体１１内には変形可能な樹脂部材を全く配置していないが、いくつかの変形可能な樹脂部材が配置されてもよい。例えば、第１実施形態（参考例）におけるコイルばね１７を樹脂製のばね部材と置き換えてもよい。かかる構成においても変形可能な樹脂部材のひとつである形状保持部材１５、１８が袋体の外側に配置されることで、袋体内における異物の発生を抑制する作用効果を得ることができる。形状保持部材１５、１８のうちの一方だけを備えてもよい。また、形状保持部材１５、１８は、複数の接合部分によって濾材１１ａと接合されてもよい。また、形状保持部材１５、１８は、その全長にわたって濾材１１ａと接合されていてもよい。また、コイルばね１７、板ばね４７、およびワイヤばね５７は、所要の弾性復元力が得られるようにその材質、形状を設定することができ、例えば樹脂製のばね部材を採用してもよい。
開示された第１技術は、濾材によって所定方向に伸縮可能な袋状に形成された袋体（１１、２１）と、袋体を伸長させるばね部材（１７、４７、５７）と、袋体の伸縮に追従して弾性変形可能な樹脂製の部材であって、袋体の外側に沿って設けられ、袋体を膨らんだ形状に保持する形状保持部材（１５、１８）とを備えることを特徴とするサクションフィルタという技術的手段を採用する。
この技術によると、形状保持部材によって袋体が膨らんだ形状に保持される。しかも、形状保持部材が袋体の外側に配置されるため、袋体の内側に配置される弾性変形可能な樹脂製の部材を削減することができる。このため、弾性変形可能な樹脂製の部材が袋体の内側で破損し異物を生じることを抑制することができる。
開示された第２技術は、第１技術において、形状保持部材（１５、１８）は、袋体の伸長に伴う袋体の変形に抗して袋体を膨らんだ形状に保持するように、ばね部材による袋体の伸長量が大きくなるにつれて弾性変形量が大きくなるように形成されているという技術的手段を採用する。この技術によると、形状保持部材の弾性力、特に弾性力によって初期形状に戻ろうとする弾性復元力によって袋体を膨らんだ形状に向けて付勢することができる。
開示された第３技術は、第１技術または第２技術において、袋体（１１、２１）には、濾材に固定された樹脂製の台座部材（１３、１６、４３、４６、５３、５６、６３、６６）が設けられており、形状保持部材（１５、１８）は、台座部材から延びる腕状部分（１５ａ、１８ａ）と、腕状部分と濾材とを接合する接合部分（１５ｂ、１８ｂ）とを備えるという技術的手段を採用する。この技術によると、濾材の任意の箇所を腕状部分に接合することができ、形状保持部材によって濾材製の袋体を望ましい形状に膨らませることができる。
開示された第４技術は、第３技術において、台座部材（１３、１６、４３、４６、５３、５６、６３、６６）から、複数の形状保持部材（１５、１８）が径方向に延び出しているという技術的手段を採用する。この技術によると、台座部分を基準として袋体を所定の膨らんだ形状に保持することができる。
開示された第５技術は、第３技術または第４技術において、台座部材（１３、１６、４３、４６、５３、５６、６３、６６）と形状保持部材（１５、１８）とは、濾材上にインサート成形されており、接合部分（１５ｂ、１８ｂ）は、腕状部分（１５ａ、１８ａ）から濾材を貫通して袋体（１１、２１）の内部に突出するリベット状の形状をもつという技術的手段を採用する。この技術によると、形状保持部材と濾材とを確実に接合することができる。
開示された第６技術は、第１技術から第５技術のいずれかにおいて、ばね部材（１７）は、袋体（１１、２１）の内側に配置されているという技術的手段を採用する。この技術によると、形状が比較的複雑なばね部材を袋体の内側に配置することができる。
開示された第７技術は、第１技術から第５技術のいずれかにおいて、ばね部材（４７、５７）は、袋体（１１、２１）の外側に設けられているという技術的手段を採用する。この技術によると、ばね部材が袋体の外側に設けられる。このため、生産性の向上、および／または袋体内における異物発生の抑制が可能となる。例えば、ばね部材を袋体の内側に配置しながら袋体を形成するという煩わしい作業を回避することができ、さらにばね部材が装着されていることを容易に目視して確認することができる。別の観点では、例えば、ばね部材に起因して袋体の内側に異物が生じる事態を回避することができる。
開示された第８技術は、第１技術から第７技術のいずれかにおいて、ばね部材（１７、４７、５７）による伸長を許容する解放状態、および、ばね部材による伸長を規制する規制状態に切換可能な伸長規制部材（６３ａ、６６ａ）をさらに備えるという技術的手段を採用する。この技術によると、ばね部材による袋体の伸長を規制することができるので、袋体の寸法を抑えることができる。例えば、サクションフィルタの使用状態では解放状態とし、サクションフィルタの保管時、運送時には規制状態とすることができる。
開示された第９技術は、濾材によって所定方向に伸縮可能な袋状に形成された袋体（１１、２１）と、袋体の外側に設けられ、袋体を伸長させるばね部材（４７、５７）とを備えるという技術的手段を採用する。この技術によると、ばね部材が袋体の外側に設けられる。このため、生産性の向上、および／または袋体内における異物発生の抑制が可能となる。例えば、ばね部材を袋体の内側に配置しながら袋体を形成するという煩わしい作業を回避することができ、さらにばね部材が装着されていることを容易に目視して確認することができる。別の観点では、例えば、ばね部材に起因して袋体の内側に異物が生じる事態を回避することができる。
開示された第１０技術は、第９技術において、袋体は、所定方向の両端外側に設けられた一対の台座部材（４３、４６、５３、５６、６３、６６）を備え、ばね部材（４７、５７）は一対の台座部材（４３、４６、５３、５６、６３、６６）に連結されているという技術的手段を採用する。この技術によると、ばね部材と袋体とが台座部分を介して連結される。
開示された第１１技術は、濾材によって所定方向に伸縮可能な袋状に形成された袋体（１１、２１）と、袋体を伸長させるばね部材（１７、４７、５７）と、ばね部材による伸長を許容する解放状態、および、ばね部材による伸長を規制する規制状態に切換可能な伸長規制部材（６３ａ、６６ａ）とを備えるという技術的手段を採用する。この技術によると、ばね部材による袋体の伸長を規制することができるので、袋体の寸法を抑えることができる。例えば、サクションフィルタの使用状態では解放状態とし、サクションフィルタの保管時、運送時には規制状態とすることができる。
開示された第１２技術は、第１１技術において、伸長規制部材（６３ａ、６６ａ）は、袋体の伸縮方向の両端であって袋体の内側に設けられ、袋体の外側から係脱操作が可能な一対の係合部材を備え、係合部材が係合状態にあるときばね部材による伸長が規制され、係合部材が非係合状態にあるときばね部材による伸長を許容するという技術的手段を採用する。この技術によると、袋体の外側に表れない係合部材によって袋体の寸法を抑えることができる。
【符号の説明】
【００６１】
１０、２０、３０、４０、５０、６０  サクションフィルタ
１１、２１  袋体
１１ａ、２１ａ  濾材
１１ｂ、２１ｂ  溶着部
１１ｃ  上面
１１ｄ  下面
１２  樹脂部品
１３、１６、４３、４６、５３、５６、６３、６６  固定部
１４  出口管
１５、１８  形状保持部材
１５ａ、１８ａ  腕状部分
１５ｂ、１８ｂ  接合部分
【図１】
0005454637.tif 000002
【図２】
0005454637.tif 000003
【図３】
0005454637.tif 000004
【図４】
0005454637.tif 000005
【図５】
0005454637.tif 000006
【図６】
0005454637.tif 000007
【図７】
0005454637.tif 000008
【図８】
0005454637.tif 000009
【図９】
0005454637.tif 000010
【図１０】
0005454637.tif 000011
【図１１】
0005454637.tif 000012